(57)【要約】【課題】シェルを備えた両面オスコネクタの提供。【解決手段】本考案の提供するシェルを備えた両面オスコネクタは、絶縁基体３０と、二列の第一接点と、シェルを含む。絶縁基体３０は、その先端に連接板を設け、連接板には面積が比較的広く相対する上面と下面を設け、第一接点は、それぞれを連接板の上面と下面に露出させ、シェルは、連接溝を内設し、先端に挿入口を形成し、連接板を連接溝内に位置させる。また、本考案の特徴は、シェルと連接板が相対して上下に浮動し移動することにあり、連接板がシェルに対して上下に浮動し移動するか、或いはシェルが連接板に対して上下に浮動し移動する。【選択図】図３
0003175979.tif 000002
【実用新案登録請求の範囲】
【請求項１】
面積が比較的広く相対する上面と下面を設ける連接板を先端に設けた絶縁基体３０と、
それぞれを連接板の上面と下面に露出させた二列の第一接点と、
連接溝を内設し、先端を挿入口とし、連接板を連接溝内に位置させるシェルとを含み、
シェルと連接板が相対して上下に浮動し移動することにより、連接板がシェルに対して上下に浮動し移動するか、或いはシェルが連接板に対して上下に浮動し移動することを特徴とするシェルを備えた両面オスコネクタ。
【請求項２】
前記シェルは金属材質であることを特徴とする請求項１に記載のシェルを備えた両面オスコネクタ。
【請求項３】
前記絶縁基体３０は、プラスチック座であり、且つ連接板を一体成形し、二列の第一接点は二列の第一端子に形成し、二列の第一端子は金属片をプレス加工して形成されることを特徴とする請求項１に記載のシェルを備えた両面オスコネクタ。
【請求項４】
前記絶縁基体３０は、プラスチック座と回路板を含み、回路板の後方部にプラスチック座を結合し、回路板の前方部にはプラスチック座を突出させて連接板を形成し、二列の第一接点は回路の接点となることを特徴とする請求項１に記載のシェルを備えた両面オスコネクタ。
【請求項５】
前記絶縁基体３０の全体は回路板であり、二列の第一接点は回路の接点であり、回路板の後方部末端部にはプラスチックを結合することを特徴とする請求項１に記載のシェルを備えた両面オスコネクタ。
【請求項６】
前記シェルを備えた両面オスコネクタには、位置調整構造を更に備え、位置調整構造は弾性を備えた上下動作を可能とするため、シェルと連接板に相対する弾性を備えた上下動作を行わせ、尚且つ連接板を連接溝の高さの中間位置に位置させることを特徴とする請求項１に記載のシェルを備えた両面オスコネクタ。
【請求項７】
前記位置調整構造は、連接板を連接溝の高さの中間位置に位置させることを特徴とする請求項６に記載のシェルを備えた両面オスコネクタ。
【請求項８】
前記位置調整構造は、シェルに一体連結した複数の位置調整弾片であり、位置調整弾片は弾性を備えた上下動作を行うことを特徴とする請求項６に記載のシェルを備えた両面オスコネクタ。
【請求項９】
前記複数の位置調整弾片は絶縁基体３０の後方部の上面と下面に対称的に位置するか、連接板の上面と下面に対称的に位置するか、或いは絶縁基体３０の後方部の上面と下面及び連接板の上面と下面に対称的に位置し、その内、連接板の上面と下面に対称的に位置する位置調整弾片は連接溝の挿入口から内側方向に順方向に末端まで一体延伸し、末端を開放状態とすることを特徴とする請求項８に記載のシェルを備えた両面オスコネクタ。
【請求項１０】
前記複数の位置調整弾片は二つを一対としてシェルの一方側に設けられ、尚且つ絶縁基体３０の上面と下面に位置することを特徴とする請求項８に記載のシェルを備えた両面オスコネクタ。
【請求項１１】
前記シェルを備えた両面オスコネクタには、位置限定構造をさらに設け、位置限定構造は、連接板或いは絶縁基体３０の後方部がシェルを上下移動する位置を制限することを特徴とする請求項１に記載のシェルを備えた両面オスコネクタ。
【請求項１２】
前記位置限定構造にはシェルの二側面に一体連結し連接溝に突出する複数対の上部位置限定片と下部位置限定片を設け、各上部位置限定片と下部位置限定片には高度差を設け、絶縁基体３０は、各上部位置限定片と下部位置限定片間に位置させ、高度差は即ち絶縁基体３０の活動区であることを特徴とする請求項１１に記載のシェルを備えた両面オスコネクタ。
【請求項１３】
前記上部位置限定片と下部位置限定片は、連接溝の挿入口から内側方向に順方向に末端まで一体延伸し、末端を開放状態としたもので、上部位置限定片と下部位置限定片は側面方向に弾性を備えて動作し、上部位置限定片と下部位置限定片はシェルの二側面からプレス加工して形成され、並びに、シェルの二側面に切欠口を形成するか、直接シェルの二側面を内側方向に逆に屈曲させて形成し、メスコネクタへの挿入時、上部位置限定片がメスコネクタを一方側に押す時、下部位置限定片は連接板の位置を制限しそれを押圧し、逆方向時、下部位置限定片がメスコネクタを一方側に押す時、上部位置限定片は連接板の位置を制限しそれを押圧することを特徴とする請求項１２に記載のシェルを備えた両面オスコネクタ。
【請求項１４】
前記位置限定構造はシェルの両側面の位置限定孔であり、絶縁基体３０両側を位置限定孔に嵌着することにより、絶縁基体３０を位置限定孔の高度区間内のみで上下に浮動させることを特徴とする請求項１１に記載のシェルを備えた両面オスコネクタ。  
【請求項１５】
前記二列の第一接点の回路序列は相互に逆方向となるよう配列することを特徴とする請求項１に記載のシェルを備えた両面オスコネクタ。
【請求項１６】
前記二列の第一接点の回路序列の同じものは一組となるよう繋げて電気的に接続することを特徴とする請求項１５に記載のシェルを備えた両面オスコネクタ。
【請求項１７】
前記シェルを備えた両面オスコネクタには、二列の第二端子をさらに設け、第二端子には弾性を備えた上下動作が可能な第二接点を設け、二列の第二端子の第二接点は、それぞれ連接板の上面と下面に突出させ、尚且つ第一接点の後部に位置させることを特徴とする請求項１に記載のシェルを備えた両面オスコネクタ。
【請求項１８】
前記連接板の先端には上下傾斜面を設けて錐形とすることを特徴とする請求項１に記載のシェルを備えた両面オスコネクタ。
【請求項１９】
前記シェルと絶縁基体３０間には後退防止構造を設けることにより、シェルに装着した絶縁基体３０の後退を防ぐことを特徴とする請求項１に記載のシェルを備えた両面オスコネクタ。
【請求項２０】
前記位置調整構造は、連接板の上面と下面に位置させる複数の位置調整弾片を含み、複数の位置調整弾片は第一接点に接触しないことを特徴とする請求項８に記載のシェルを備えた両面オスコネクタ。
【請求項２１】
前記シェルを備えた両面オスコネクタには、ケースを更に設け、ケースは、シェルの後方部及び絶縁基体３０の後方部の外層であることを特徴とする請求項１に記載のシェルを備えた両面オスコネクタ。
【請求項２２】
前記シェルには少なくとも一対の上部位置限定兼位置調整弾性片と下部位置限定兼位置調整弾性片とを絶縁基体３０の上面と下面に位置するよう一体設置することにより、連接板を連接溝の高さの中間位置に位置させ、尚且つ連接板或いは絶縁基体３０の後方部がシェルを上下移動する位置を制限し、上部位置限定兼位置調整弾性片と下部位置限定兼位置調整弾性片の根部はシェルに連接し、上部位置限定兼位置調整弾性片と下部位置限定兼位置調整弾性片の根部と末端部の押圧点には高度差を備えさせるか、或いは根幹部から末端部を傾斜状態で延伸させ、上部位置限定兼位置調整弾性片と下部位置限定兼位置調整弾性片は弾性を備えて上下に動作することを特徴とする請求項１に記載のシェルを備えた両面オスコネクタ。
【請求項２３】
前記絶縁基体３０の後方部には記憶ユニットを設けて二列の第一接点と電気的に接続させたフラッシュメモリとするか、無線送受信ユニットを設けて二列の第一接点と電気的に接続させたケーブルのオスコネクタとするか、或いは電子ユニットを設けて二列の第一接点と電気的に接続させたその他の電子装置とすることを特徴とする請求項１に記載のシェルを備えた両面オスコネクタ。
【請求項２４】
前記二列の第一接点は相互に繋がらず、独立した接触インターフェース及び独立接点を形成することを特徴とする請求項１に記載のシェルを備えた両面オスコネクタ。
【請求項２５】
前記絶縁基体３０には回路板を設け、二列の第一接点は回路板の上面と下面の回路の接点となり、回路板は連接座によって少なくとも一つの電子モジュールに電気的に接続し、連接座には少なくとも一列の連接端子を設け、先端には前接合溝、末端には後接合溝を設け、連接端子に設けた固定部を連接座と固定させ、固定部の二端にはそれぞれ、連接座の前接合溝と後接合溝まで接触片を延伸させ、電子モジュールには第一回路板を設け、第一回路板の一面の前方部には一列の接点を設け、他の一面には電子ユニットを電気的に接続し、尚且つ該面には密封層を設けるか被覆体によって電子ユニットを被覆し、電子ユニットと一列の接点とは電気的に接続させ、回路板の後方部と少なくとも一つの電子モジュールの前方部は、連接座の前接合溝と後接合溝にそれぞれ挿入し、尚且つ少なくとも一列の連接端子の接触片と電気的に接続させることを特徴とする請求項１に記載のシェルを備えた両面オスコネクタ。
【請求項２６】
位置調整構造は、少なくとも二つの対称位置の位置調整弾片を設置し、少なくとも二つの位置調整弾片は独立部品であり、シェルに一体連結したものではないことを特徴とする請求項６に記載のシェルを備えた両面オスコネクタ。
【考案の詳細な説明】
【技術分野】
【０００１】
本考案は、電気コネクタに関し、シェルを備えた両面オスコネクタに係る。
【背景技術】
【０００２】
現在、パソコン機器のデータ伝送規格の中で最も普及しているのはユニバーサル・シリアル・バス(Universal Serial Bus, USB)であり、この規格で製作されたメスコネクタ及び伝送線路を用いることにより、パソコンに外付けしたマウス、キーボード等の周辺機器をパソコンが即刻検知しすぐに使用可能な状態とする。
【０００３】
現在、USBには2.0及び3.0の二種の規格があり、図１に示す通り、現有するUSB2.0オスコネクタ９０にはプラスチック座体９１と金属外殻９２を設ける。該金属外殻９２はプラスチック座体９１を包覆し、金属外殻９２とプラスチック座体９１間には嵌合接続空間９３を形成し、プラスチック座体９１の一面だけに嵌合接続空間９３に露出する一列の接点９４を設ける。現在USB協会の公定規格は、全体の高さiを4.5mm、嵌合接続空間９３に対応する半体の高さjを2.25mm、嵌合接続空間９３の高さkを1.95mmとしている。  
【０００４】
現在、USB2.0メスコネクタは、その内の舌状部の一面に一列の接点を設け、使用する場合は、USB2.0オスコネクタを挿入方向に正しく差しこまれて初めて、二者の接点が重なり合い電気的に接続することができる。また、USBオスコネクタの挿入時に確実な電気的接続が行えるように、二者の接触箇所にフールプルーフ設計を施す。図1Aに示すとおり、USB2.0オスコネクタ９０の把持部９６一面の標示９７が上を向いている時は即ち正方向である。この時接点９４は上を向いており、正方向に挿入する場合は、挿入して電気的接続を確保する。図1Bに示すとおり、USBオスコネクタを逆方向に挿入しようとする時は挿入が不可能である、使用者は通常、随時挿入を行うが、挿入できない確率は1/2で、二回差込まなければならないこともよく発生し、使用上使いづらい。
【０００５】
図２に示した現有のUSB2.0メスコネクタ８０は、プラスチック座８１、金属外殻８３、及び端子８７を含む。プラスチック座８１の先端に水平に延伸する舌状部８２を一体成形し、金属外殻８３はプラスチック座８１の先端に定位させ、連接溝８４を形成し、舌状部８２を連接溝８４の下方に片寄る状態で配置し、一列の端子８７を4個とし、プラスチック座８１に固定し、尚且つ前方方向に延伸させて舌状片８２上に配列し、末端に近い箇所に接点８８を突設する。
【０００６】
USB2.0メスコネクタ８０にはオスコネクタに合わせてフールプルーフ設計を施す。また、USB協会の公定規格は次の通りである。即ち、連接溝の高さoは5.12、舌状部厚さpは1.84mm、舌状部上方高さsは0.72mm、舌状部下方高さqは2.56mmである。これにより、USB2.0オスコネクタ９０の嵌合接続空間９３を下に向けて挿入すると、嵌合接続空間９３と舌状部８２が嵌合されて定位し、半体高さj(2.25mm)を舌状部の下方高さq(2.56mm)に嵌入する。USB2.0オスコネクタ９０の方向が逆である場合は挿入不可能である。また、連接溝８４の定位平面の挿入端８６から端子８７の接点８８までの水平距離tは3.5mmである。
【０００７】
図2Aには、現有のUSB3.0メスコネクタ８５を示す。その構造及び関連サイズはほぼ、USB2.0メスコネクタ８０と同様であるが、二種の相違点は、USB3.0メスコネクタ８５の舌状部８２が比較的長く、前段に一列5個の弾性のない第二接点８９を設置することにある。また、連接溝８４の定位平面の挿入端８６から端子８７の接点８８までの水平距離tは4.07mmである。
【０００８】
USB3.0オスコネクタの構造及び関連サイズはほぼ、USB2.0オスコネクタ９０と同様であるが、二種の相違点は、USB3.0の方が、嵌合接続空間に突出し、弾性を備えた五つの接点が多いところにある。
【０００９】
公知のUSBメスコネクタは、2.0或いは3.0に拘わらず、単一面での接触形態である故、使用時でのオスコネクタの二方向挿入は不可能である。そこで、使用上の利便性を高め、正逆両面での電気的接続を可能にして使用者の要求に叶うものとするため、出願者は両面電気接続機能を有した、シェルを備えるオスコネクタを研究開発した。
【考案の概要】
【考案が解決しようとする課題】
【００１０】
本考案の主な目的は、連接板を連接溝内で上下に浮動させメスコネクタの両面接続効果を実現する、シェルを備えた両面オスコネクタの提供にある。
【課題を解決するための手段】
【００１１】
上述の目的を達成するために、本考案の提供するシェルを備えた両面オスコネクタは、絶縁基体３０と、二列の第一接点と、シェルを含む。絶縁基体３０は、その先端に連接板を設け、連接板には面積が比較的広く相対する上面と下面を設け、第一接点は、それぞれを連接板の上面と下面に露出させ、シェルは、連接溝を内設し、先端に挿入口を形成し、連接板を連接溝内に位置させる。また、本考案の特徴は、シェルと連接板が相対して上下に浮動し移動することにあり、連接板がシェルに対して上下に浮動し移動するか、或いはシェルが連接板に対して上下に浮動し移動する。
【００１２】
また、連接板が連接溝内で上下に浮動して移動することにより、メスコネクタとの両面接続効果を達成する。
【考案の効果】
【００１３】
本考案のシェルを備えた両面オスコネクタは、シェルと連接板が相対して上下に浮動し移動することにより、メスコネクタとの両面接続効果を達成する。
【図面の簡単な説明】
【００１４】
【図１】公知のUSB2.0オスコネクタの前面断面図である。
【図１Ａ】公知のUSB2.0オスコネクタを差し込もうとした状態の下方傾斜立体図である。
【図１Ｂ】公知のUSB2.0オスコネクタを逆に差し込もうとした状態の上方傾斜立体図である。
【図２】公知のUSB2.0メスコネクタの側面断面図である。
【図２Ａ】公知のUSB3.0メスコネクタの側面断面図である。
【図３】本考案第一実施例の側面断面図である。
【図４】本考案第一実施例の側面断面図である。
【図５】本考案第一実施例の上面断面図である。
【図６】本考案第一実施例の前面図である。
【図６Ａ】本考案第一実施例における第二端子二列を配列させた立体図である。
【図７】本考案第一実施例における連接板と連接溝の前面図である。
【図７Ａ】本考案第一実施例におけるシェルの立体図である。
【図８】本考案第一実施例における回路板上面の回路接続図である。
【図９】本考案第一実施例における回路板下面の回路接続図である。
【図１０】本考案第一実施例の使用状態図である。
【図１１】本考案第一実施例の使用状態図である。
【図１２】本考案第一実施例の使用状態図である。
【図１３】本考案第二実施例の上面断面図である。
【図１４】本考案第二実施例の側面断面図である。
【図１５】本考案第二実施例の前面断面図である。
【図１６】本考案第三実施例の側面断面図である。
【図１７】本考案第三実施例における定位片の立体図である。
【図１８】本考案第三実施例の前面断面図である。
【図１９】本考案第四実施例の前面断面図である。
【図２０】本考案第五実施例の上面断面図である。
【図２０Ａ】本考案第五実施例の側面断面図である。
【図２１】本考案第六実施例の側面断面図である。
【図２２】本考案第七実施例の側面断面図である。
【図２３】本考案第八実施例の側面断面図である。
【図２４】本考案第九実施例の上面断面図である。
【図２５】本考案第九実施例の側面断面図である。
【図２６】本考案第十実施例の側面断面図である。
【図２７】本考案第十一実施例の側面断面図である。
【図２８】本考案第十二実施例の側面断面図である。
【図２９】本考案第十二実施例の側面断面図である。
【図３０】本考案第十三実施例の立体分解図である。
【図３１】本考案第十三実施例の側面断面図である。
【図３２】本考案第十四実施例の立体分解図である。
【図３３】本考案第十五実施例におけるシェルの立体図である。
【図３４】本考案第十六実施例の立体組立図である。
【図３５】本考案第十六実施例の立体分解図である。
【図３６】本考案第十六実施例の側面断面図である。
【図３７】本考案第十七実施例の側面図である。
【図３８】本考案第十七実施例の立体図である。
【図３９】本考案第十七実施例におけるシェルの立体図である。
【図４０】本考案第十八実施例の立体分解図である。
【図４１】本考案第十八実施例の側面断面図である。
【図４２】本考案第十九実施例の立体図である。
【図４３】本考案第二十実施例の立体分解図である。
【図４４】本考案第二十実施例の側面断面図である。
【図４５】本考案第二十一実施例の側面断面図である。
【図４６】本考案第二十二実施例の側面断面図である。
【図４７】本考案第二十二実施例におけるシェルの立体図である。
【図４８】本考案第二十三実施例の側面断面図である。
【図４９】本考案第二十三実施例の一部立体組立図である。
【図５０】本考案第二十三実施例の一部立体分解図である。
【考案を実施するための形態】
【００１５】
本考案の上述内容及びその他の目的、長所及び特徴については、次に開示した、図面を参照とした好ましい実施例の詳細説明によって更に理解を深めて戴きたい。
【実施例１】
【００１６】
図３〜図９に示すとおり、本考案第一実施例は、USB3.0規格対応の両面での電気的接続可能なフラッシュメモリであり、それは正逆方向の両面で電気的接続が行えるメスコネクタであり、絶縁基体３０、二列の第二端子５０、シェル６０、位置限定構造６５、位置調整構造７０、電子ユニット７８、及びケース７５を含む。
【００１７】
前記絶縁基体３０は、プラスチック座３１と回路板３２を含み、プラスチック座３１には回路板３２の後方部の上面と下面に結合する上部座と下部座を設け、回路板３２の後方部とプラスチック座３１の間には、回路板３２の上面と下面に電子部品を設置するための収納空間を形成する。回路板３２の前方部にはプラスチック座３１を突出させ連接板３３を形成し、連接板３３の上面と下面にはそれぞれ四つの第一接点３４を配列し、二列の第一接点３４は回路板３２の接点となり、金属端子としてもよい。連接板３３先端には上下傾斜面３９を設けて先の尖った錐体を形成する。図８及び図９に示すとおり、連接板３３は第一接点３４の後方に一列に並ぶ五つの中空溝３６を設け、連接板３３の後方部上下面にはそれぞれ、五つの中空溝３６に対応する五つの半田部３５を設け、第一接点３４と半田部３５のいずれも、回路３７に各自接続する。
【００１８】
二列の第二端子５０はそれぞれ五つで、第二端子５０の一端から他の一端には延伸部５１、固定部５４、ピン５２を設ける。該延伸部５１は、弾性を備えて上下に動き、第二接点５３を突設する。まず、二列の第二端子５０を固定部５４によってプラスチック座３１の上部座と下部座に装着し、プラスチック座３１の上部座と下部座を回路板３２の後方部に結合し、二列の第二端子５０のピン５２を半田部３５に半田付けする。二列の第二接点５３は、連接板３３の上面と下面それぞれに突設し、中空溝３６で弾性を備えて上下に動作することができる。第二接点５３を第一接点３４に位置させた後は、図６Ａに示す通りであり、第二端子５０の第二接点５３の前に板面の比較的狭い傾斜面５５を設けて、二列の第二端子５０の第二接点５３を上下に対応させ、二列の第二端子５０の傾斜面５５が左右に離されることにより、二列の第二端子５０が上下に弾かれる時ぶつかり合うことがなく、一列の第一接点３４と一列の第二接点５３にはUSB3.0の接触インターフェースを形成する。図７、８、９に示す通り、二列の第一接点３４の回路序列は相互に逆方向となるよう配列し、二列の第二接点５３の回路序列も相互に逆方向となるよう配列し、二列の第一接点３４の回路序列が同じものは、導電貫通孔３８によって一組となるよう電気的に接続し、二列の第二接点５３の回路序列が同じものも、導電貫通孔３８によって一組となるよう電気的に接続する。また、二列の第一接点３４の回路序列が1であるものは電源回路(VBUS)であり、回路序列2(D-)及び回路序列3(D+)は一対の信号回路、回路序列4(GND)は接地回路である。二列の第二接点５３の回路序列5(RX-)及び回路序列6(RX+)は一対の信号回路、回路序列8(TX-)及び回路序列9(TX+)は別の一対の信号回路、回路序列7(GND)は接地回路である。その内、二列の第一接点３４の回路序列1は電源回路の短絡を絶対に発生させてはならないため、まずショットキーダイオード３１３を経由させてから電気的に接続する。ショットキーダイオード３１３は主に、電流の逆流防止作用があるため、短絡保護効果を達成する。
【００１９】
上述したショットキーダイオードを使用して短絡を保護する方式は、電子式逆流防止或いは短絡防止をするための回路を安全に保護する手法の一種であるが、この他、例えば、逆流防止電子部品、短絡防止電子部品、回路安全保護部品、安全回路設置手段等の多くの方式によっても回路を安全に保護する効果を達成することができる。
【００２０】
シェル６０は金属材質であり、それは絶縁基体３０を包覆する。シェル６０内には連接溝６１を形成し、先端を挿入口とし、連接板３３は連接溝６１中に位置する。絶縁基体３０とシェル６０間には上下浮動間隔を備え、シェル６０と連接板３３を相対的に上下に浮動し移動させることができる。
【００２１】
絶縁基体３０は後から前方向にシェル６０に装着し、シェル６０と絶縁基体３０の間に後退防止構造を設けることにより、シェル６０に装着した絶縁基体３０の後退を防ぐ。後退防止構造は、シェル６０後方部の両側に弾性逆爪部６２を設け（図7A参照）、絶縁基体３０のプラスチック座３１後方部両側に嵌合孔３１１を設け、弾性逆爪部６２を用いて嵌合孔３１１を引き掛け、後退を防止する。また、絶縁基体３０のプラスチック座３１の末端両側に突出エッジ３１０を突設し、突出エッジ３１０によってシェル６０を圧して定位させる。
【００２２】
位置限定構造６５は、連接板３３のシェル６０に対する上下移動の位置を限定し、位置限定構造６５には、シェル６０の二側面にそれぞれを一体に連結し、尚且つ連接溝６１方向に突出する二対の上部位置限定片６５１と下部位置限定片６５２を設け、各上部位置限定片６５１と下部位置限定片６５２には高度差を設け、連接板３３は各上部位置限定片６５１と下部位置限定片６５２間に位置させる。該高度差は連接板３３の活動区であり、上部位置限定片６５１と下部位置限定片６５２は、シェル６０の二側面より内側に突出し、尚且つ連接溝６１の挿入口から内側方向に順方向に末端まで一体延伸し、末端を開放状態としたもので、シェル６０の二側面には開孔を形成し、上部位置限定片６５１と下部位置限定片６５２は側面方向に弾性を備えて動作し、上部位置限定片６５１と下部位置限定片６５２とシェル６０の上面と底面にはいずれも隙間を作り、上部位置限定片６５１と下部位置限定片６５２が上下に弾かれる時、即刻シェル６０の上面と底面を圧する。隙間は、連接板がシェルに対して上下浮動する公差となる。
【００２３】
位置調整構造７０はシェル６０の上面、底面に一体連接し、尚且つ連接溝方向に突出する位置調整弾片７１、位置調整弾片７２であり、位置調整弾片７１、位置調整弾片７２は弾性を備えて上下に動作する。その内、位置調整弾片７１は絶縁基体３０後方部のプラスチック座３１の上面と下面を対称的に押圧し、位置調整弾片７２は連接板３３の上面と下面を対称的に押圧し、位置調整弾片７２は二つの第一接点３４間を圧し、第一接点３４には接触しない。位置調整弾片７１と位置調整弾片７２は、シェル６０の上面、底面から内側に突出し、その内、位置調整弾片７２は、連接溝６１の挿入口から内側方向に向かって順方向に末端まで一体延伸し、尚且つ末端を開放状態としたもので、シェル６０の上面、底面の二側面には開孔を形成し、位置調整構造７０は、連接板３３を連接溝６１の高さの中間位置に位置させる。
【００２４】
電子ユニット７８は記憶ユニットであり、それは連接板３３上に電気的に接続し、メモリと制御回路を含み、メモリの容量の大きさは制限せず、制御回路は電子ユニット７８のメモリ動作をコントロールし、二列の第一接点３４と二列の第二接点５３は電子ユニット７８に電気的に接続する。
【００２５】
ケース７５はプラスチック材質で、尚且つシェル６０の後方部と絶縁基体３０の後方部を包覆する。その内、ケース７５とシェル６０は固定式嵌合を行い、シェル６０に嵌合孔６２２を設け、ケース７５先端に設けた嵌合引掛部７６を嵌合孔６２２に嵌入してケース７５とシェル６０の固定を行うため、連接板３３はシェル６０に対して上下に浮動して移動することができる。
【００２６】
図７に示すとおり、本考案のシェル６０の高さは4.5mm乃至5.0mmとし、連接板３３の厚さを0.5mm乃至1.6mmとする。尚、本実施例では、シェル６０の高さを4.5mmとし、連接板３３の厚さを1mmとし、シェル６０の材料厚さを0.3mmとして説明すると、連接板３３上方空間の高さh1は1.45mm、連接板、下方空間の高さに材料の厚さを加えた合計高さh2は2.75mmとなる。また、図２Ａに示したUSB3.0メスコネクタ８５に挿入する場合、h1は、舌状部８２の厚さpの1.84mmを下回る1.45mmで、h2は、舌状部８２下方の高さqの2.56mmを超える2.75mmであるため、連接板３３が連接溝６１内で上下に浮動して移動できない場合は、USB3.0メスコネクタ８５への挿入は不可能である。
【００２７】
図１０には、前述構造に基づく本実施例のフラッシュメモリをUSB3.0メスコネクタ８５に挿入した時の状態を示す。連接板３３上方の空間高さh1は1.45mmで、舌状部８２の厚さ1.84mmの方が大きいため、連接板３３の先端が舌状部８２を圧する。図１１に示すとおり、この時、先端の上下傾斜面３９によって連接溝８４に導かれ、連接溝６１中の連接板３３は下方向に移動する故、h1は徐々に大きくなりh2は徐々に小さくなる。図１２に示すとおり、連接板３３を定位するまで挿入する時、上部位置限定片６５１によって舌状部８２は一方側に押さえられるため、連接板３３上方の空間は全くなくなり、舌状部８２が嵌入される。連接溝６１中の連接板３３は下方向に約0.5mm移動し、下部位置限定片６５２によって位置限定され押圧され、この時、h1は1.95mm、h2は2.25mmであり完全にUSB協会の定める規格に符合し、尚且つ、連接板３３は下部位置限定片６５２によって位置限定され押圧されるため、確実に信頼性のある電気的接続ができる。
【００２８】
本実施例の構造特徴は、メスコネクタに挿入する時、上部位置限定片６５１が舌状部８２を一方側に押し、下部位置限定片６５２が連接板３３の位置を限定しそれを押圧するため、連接板３３は確実に信頼性のある電気的接続を行うことができ、逆方向時では、下部位置限定片６５２が舌状部８２を一方側に押し、上部位置限定片６５１が連接板３３の位置を限定しそれを押圧するため、連接板３３は確実に信頼性のある電気的接続を行うことができる。
【００２９】
以上の構造に基づく本実施例は、次の効果を備える。
(1)連接板３３は連接溝６１中で上下に浮動して移動するため、USB3.0メスコネクタ８５への両面接続が可能である。
(2)位置調整構造７０は、連接板３３を連接溝６１の高さの中間位置に位置させる。
(3)連接板３３は位置限定構造６５によって位置を限定され、押圧されて、確実に信頼性のある電気的接続を行う。
【００３０】
上述の実施例中の電子ユニット７８は、無線送受信ユニットとして無線送受信装置を構成するか、或いはその他の応用ユニットとしてその他の電子装置を構成してもよい。
【実施例２】
【００３１】
図１３乃至図１５に示すとおり、本考案の第二実施例は、USB2.0規格対応の両面での電気的接続が可能なフラッシュメモリであり、それは、絶縁基体３０、シェル６０、位置限定構造６５、位置調整構造７０、電子ユニット７８、及びケース７５を含む。ほぼ第一実施例と同様であるが、その相違点は、本実施例の位置調整構造７０において、連接板３３を押圧する二つの位置調整弾片７２がX形をなし、シェル６０の上面と底面に設けた凹溝６３に位置調整弾片７２を嵌入定位させる点にある。
【実施例３】
【００３２】
図１６乃至図１８には本考案の第三実施例を示す。図１６の図面には位置調整弾片７２を表示していないが、それはUSB2.0規格対応の両面での電気的接続が可能なフラッシュメモリであり、絶縁基体３０、第一端子４０、シェル６０、位置限定構造、位置調整構造７０、電子ユニット７８、及びケース７５を含む。ほぼ第一実施例と同様であり、その相違点は次の通りである。
【００３３】
絶縁基体３０はプラスチック座であり、先端に連接板３３を一体成形し、絶縁基体３０には回路板３１５を内設する。
【００３４】
二列の第一端子４０は金属片をプレス成形したもので、絶縁基体３０に装着し回路板３１５と電気的接続を行い、第一端子４０には第一接点４３を設け、該第一接点４３は何れも連接板３３の上面にフラット状態で貼り付けられるが、連接板３３の上面と下面にそれぞれをフラット状態で貼り付けてもよい。
【００３５】
位置限定構造には二つのスライド溝６４と二つの定位板６８を含み、二つのスライド溝６４はシェル６０の両側の内側面に設置し、定位板６８は弾性を備えた動作をせず、水平板６６と、上方向及び下方向の二つの垂直板６７を設ける。該垂直板６７をスライド溝６４に嵌入した後も上下に間隔があるため、垂直板６７を上下に浮動させ、スライド溝６４を上下位置に限定させる。
【００３６】
位置調整構造７０の位置調整弾片７２は内側から外側に傾斜した状態で連接板３３の上面と下面の両側を圧し、第一接点３４には接触しない。
【００３７】
前記構造により、連接板３３が連接溝６１中で上下に浮動して移動する時、定位板６８の垂直板６７は位置を限定し、並びに、スライド溝６４の上下端を押圧する。
【実施例４】
【００３８】
図１９に示すとおり、本考案の第四実施例はほぼ第三実施例と同様であり、その相違点は、本実施例のスライド溝６４をシェル６０の二外側面に設ける点にある。
【実施例５】
【００３９】
図２０及び図２０Ａは本考案の第五実施例である。それは、USB2.0規格対応の両面での電気的接続が可能なフラッシュメモリであり、絶縁基体３０、シェル６０、位置限定構造６５、位置調整構造７０、電子ユニット７８、及びケース７５を含む。
【００４０】
絶縁基体３０の全体は回路板３２であり、該回路板３２の後方部末端部にはプラスチック材を結合し、回路板３２の上面及び下面とシェル６０間には比較的大きな空間をあけて電子部品を配置するための利便を図る。回路板３２の前方部は連接板３３であり、連接板３３の上面と下面のそれぞれに四つの第一接点３４を設け、二列の第一接点３４を回路板の回路接点とし、それを金属端子としてもよい。連接板３３の先端には錐上下傾斜面３９を設けて先の尖った錐体を形成する。二列の第一接点３４は何れもUSB2.0インターフェースであり、二列の第一接点３４の回路序列は相互に逆方向となるよう配列し、回路序列が同じものは導電貫通孔によって一組となるよう電気的に接続し、二列の第一接点３４は第一実施例と同様に設置する。
【００４１】
シェル６０は金属材質であり、それは回路板３２を包覆する。シェル６０内には連接溝６１を形成し、先端を挿入口とし、連接板３３は連接溝６１中に位置する。回路板３２とシェル６０間には上下浮動間隔を備えているため、シェル６０と連接板３３は相対して上下に浮動し移動できる。また、シェル６０内にはストッパー６９を設け、ストッパー６９は連接溝６１の末端を制御する面となり、ストッパー６９はシェル６０の上面と底面から連接溝に向かって凸部を突出させる。
【００４２】
回路板３２は後ろから前方向にシェル６０に装着し、回路板３２と絶縁基体３０の間に後退防止構造を設けることにより、シェル６０に装着した回路板３２の後退を防ぐことができる。後退防止構造は、シェル６０後方部の両側に弾性逆爪部６２をそれぞれ設け、回路板３２の後方部両側に嵌合孔３１１をそれぞれ設け、弾性逆爪部６２を用いて嵌合孔３１１を引き掛け、後退を防止する。また、回路板３２の末端両側に突出エッジ３１０を設け、突出エッジ３１０によってシェル６０を圧して定位させる。
【００４３】
位置限定構造６５は、絶縁基体３０のシェル６０に対する上下移動の位置を制限する。位置限定構造６５には、シェル６０の二側面の前方部にそれぞれを一体連結し、尚且つ連接溝６１方向に突出する二対の上部位置限定片６５１、下部位置限定片６５２と、シェル６０の二側面の後方部にそれぞれを一体連結し、尚且つ連接溝６１方向に突出する四対の上部位置限定片６２０、下部位置限定片６２１とを設け、上部位置限定片６５１と下部位置限定片６５２のそれぞれには高度差を設け、上部位置限定片６２０と下部位置限定片６２１にも高度差を設ける。該高度差は、回路板３２の活動区であり、上部位置限定片６５１と下部位置限定片６５２は、シェル６０の二側面より内側に突出し、尚且つ連接溝の挿入口から内側方向に順方向に末端まで一体延伸し、末端を開放状態としたもので、シェル６０の二側面には開孔を形成し、上部位置限定片６５１と下部位置限定片６５２は側面方向に弾性を備えて動作し、上部位置限定片６２０と下部位置限定片６２１はシェル６０の二側面に内側方向にプレス加工して突出させた突出包覆部であり、上部位置限定片６２０と下部位置限定片６２１は固定し弾性を備えた動作は行えない。
【００４４】
位置調整構造７０及び電子ユニット７８はほぼ第一実施例と同様である。
【００４５】
ケース７５はプラスチック材質で、尚且つシェル６０の後方部と回路板３２を包覆し、ケース７５とシェル６０が固定されるため、連接板３３はシェル６０に対して上下に浮動して移動することができる。
【００４６】
本実施例の絶縁基体３０の全体は回路板３２であり、該回路板３２の後方部にはプラスチック材を結合しておらず、回路板３２の上面及び下面とシェル６０間には比較的大きな空間をあけて電子部品の配置に利便を図り、超短型電子製品の設計を有利にする。さらに、構造の簡素化により製造加工は簡便化され、材料コストを削減する。
【実施例６】
【００４７】
図２１には本考案の第六実施例を示す。それは、USB2.0規格対応の両面での電気的接続が可能なフラッシュメモリであり、回路板３２、シェル６０、位置限定構造６５、位置調整構造７０、電子ユニット７８、及びケース７５を含む。それはほぼ第五実施例と同様であるが、その相違点は、二つのストッパー６９をＬ字形板とし、回路板３２の上面と下面に半田付けし、位置調整弾片７１の末端を回路板３２に半田付けする点にある。
【実施例７】
【００４８】
図２２には本考案の第七実施例を示す。それはほぼ第五実施例と同様であり、その相違点は、シェル６０が比較的短い故に固定式の上部位置限定片及び下部位置限定片を設けず、尚且つ位置調整弾片７１をシェル６０の末端に連接し後方に延伸させる点にある。
【実施例８】
【００４９】
図２３には本考案の第八実施例を示す。それはほぼ第七実施例と同様であり、その相違点は、位置調整弾片７１の後方部を前方に逆に屈曲させ回路板３２に半田付けする点にある。
【実施例９】
【００５０】
図２４及び図２５には本考案の第九実施例を示す。それは、USB2.0規格対応の両面での電気的接続が可能なケーブルのオスコネクタであり、絶縁基体３０、二列の第一端子４０、シェル６０、位置限定構造６５、位置調整構造７０、電子ユニット、及びケース７５を含む。それはほぼ第一実施例及び第三実施例と同様であるが、その相違点は、本実施例の電子ユニットがケーブル１００であり、該ケーブル１００には導線１０１を設けて二列の第一端子４０と電気的に接続させ、ケーブル１００は導線挟持部材１０２によってシェル６０に固定する点にある。
【実施例１０】
【００５１】
図２６には本考案の第十実施例を示す。それはほぼ第七実施例と同様であり、その相違点は、回路板３２とケース７５は固定され、位置調整弾片７１の末端を回路板３２に半田付けし、ケース７５とシェル６０は可動式の嵌合形態をなし、シェル６０には縦方向の嵌合片６２３を設け、ケース７５先端に設けた嵌合引掛部７６と嵌合片６２３によって、ケース７５とシェル６０の前後を固定して上下動作を可能にするため、シェル６０は回路板３２に対して上下に浮動して移動することができる点にある。
【実施例１１】
【００５２】
図２７には本考案の第十一実施例を示す。それはほぼ第一実施例と同様であるが、その相違点は、本実施例の絶縁基体３０の連接板３３上面と下面もただ一列の第一接点３４を設け、一列の第二接点を設けず、二列の第一接点は相互に繋がらず独立した接触インターフェース及び独立接点であり、二列の第一接点は電子ユニットに各自接続する点にある。
【実施例１２】
【００５３】
図２８及び図２９には本考案の第十二実施例を示す。それは、USB2.0規格対応の両面での電気的接続が可能なフラッシュメモリであり、ほぼ第一実施例及び第三実施例と同様であるが、その相違点は、本実施例の連接板３３と絶縁基体３０の間に可撓性を備えた湾曲部３１８を設け、USB2.0メスコネクタ８０に挿入して電気的接続を行う場合、湾曲部３１８がたわみ曲がり、連接板３３を連接溝６１中で下方向に移動させることにある。
【実施例１３】
【００５４】
図３０及び図３１には本考案の第十三実施例を示す。それは、USB2.0規格対応の両面での電気的接続が可能なケーブルのオスコネクタであり、回路板３２、シェル６０、位置限定構造６５、位置調整構造７０、電子ユニット、及びケース７５を含み、ほぼ第五実施例及び第九実施例と同様である。また、その相違点は、本実施例の位置限定構造６５に四対の上部位置限定片６５１、下部位置限定片６５２及び二つの位置限定孔６２５を備え、その内、後方の二対の上部位置限定片６５１、下部位置限定片６５２は二つの弾性逆爪部６２に一体となるよう設置し、二つの位置限定孔６２５はシェル６０の二側面の末端に設け、回路板３２の両側には突出エッジ３２８を設けて位置限定孔６２５に嵌着することにある。
【実施例１４】
【００５５】
図３２には本考案の第十四実施例を示す。それは、USB2.0規格対応の両面での電気的接続が可能なフラッシュメモリであり、回路板３２、シェル６０、位置限定構造、位置調整構造、電子ユニット７８、及びケース７５を含み、ほぼ第五実施例及び第十三実施例と同様であるが、次のような相違点を有する。即ち、本実施例の位置調整構造の複数の位置調整弾片７１、位置調整弾片７２はシェル６０の二側面から材料を入れて形成した二つを一対とするもので、複数の位置調整弾片７１と位置調整弾片７２はシェル内に突出し、二対の位置調整弾片７２は回路板前方部の連接板３３の上面と下面の二側面を圧し、二対の位置調整弾片７１は回路板後方部の上面と下面の二側面を圧し、位置限定構造はシェル６０二側面だけに位置限定孔６２５を設ける。
【実施例１５】
【００５６】
図３３には本考案の第十五実施例を示す。それはほぼ第十四実施例と同様であるが、その相違点は、本実施例の位置調整構造７０には回路板３２の後方部の上面と下面の二側面を圧する位置調整弾片７１だけを設けることにある。
【実施例１６】
【００５７】
図３４、図３５、図３６には本考案の第十六実施例を示す。それは、USB2.0規格対応の両面での電気的接続が可能な無線送受信装置であり、回路板３２、シェル６０、位置限定構造、位置調整構造７０、電子ユニット７８、及びケース７５を含み、ほぼ第五実施例及び第十三実施例と同様であるが、次のような相違点を有する。本実施例の電子ユニット７８は無線送受信装置であり、本実施例の全体の長さは非常に短いため、位置調整構造７０は、連接板３３の上面と下面を圧する二対の位置調整弾片７２を設けるだけであり、また、シェル６０の上面と底面の後方部は何れも中空区６３４とし回路板３２の後方部を被覆せず、無線送受信モジュールに好ましい送受信機能を生じさせ、尚且つアンテナ或いは突出した電子部品を設置し易くする。
【実施例１７】
【００５８】
図３７、図３８、及び図３９には本考案の第十七実施例を示す。それは、両面での電気的接続が可能なケーブルのオスコネクタであり、ほぼ第十三実施例と同様であるが、次のような相違点を有する。本実施例には一体設置した位置限定構造と位置調整構造を設け、シェル６０の前方部の二側面にそれぞれ二対の上部位置限定兼位置調整弾性片６２８と下部位置限定兼位置調整弾性片６２９を設ける。上部位置限定兼位置調整弾性片６２８と下部位置限定兼位置調整弾性片６２９の根部はシェル６０に連接し、上部位置限定兼位置調整弾性片６２８と下部位置限定兼位置調整弾性片６２９の根幹部と末端部の押圧点には高度差を備え、尚且つ根幹部から末端部は傾斜状態で延伸させる。上部位置限定兼位置調整弾性片６２８と下部位置限定兼位置調整弾性片６２９は、連接溝６１の挿入口から内側方向に順方向に末端まで一体延伸し、末端を開放状態としたもので、上部位置限定片と下部位置限定片は側面方向に弾性を備えて動作し、尚且つ弾性を備えて上下に動作する。上部位置限定兼位置調整弾性片６２８と下部位置限定兼位置調整弾性片６２９の根幹部の高度差は連接板３３の可動区となり、上部位置限定兼位置調整弾性片６２８と下部位置限定兼位置調整弾性片６２９は回路板３２の上面と下面に対称的に位置するため、連接板３３を連接溝６１の高さの中間位置に位置させ、シェル６０に対して上下移動する回路板３２の位置を制限する。上部位置限定兼位置調整弾性片６２８と下部位置限定兼位置調整弾性片６２９の末端の押圧点は、回路板３２或いは回路板３２の近くを弾性を備えて押圧する。
【００５９】
また、シェル６０の後方部両側面にもまた位置限定構造と位置調整構造を設置し、回路板の後方部の位置を標準位置にし位置を制限する。位置限定構造は位置限定孔６２５であり、回路板３２の両側には突出エッジを設け、位置限定孔６２５に嵌着する。回路板３２は位置限定孔６２５の高度区間だけをを上下に浮動し、位置調整構造は二対の位置調整弾片７１である。二対の位置調整弾片７１は、シェル６０の上面と底面中間部に連接し、尚且つ両側方向に延伸し、二対の位置調整弾片７１は回路板３２両側の上面と下面に位置し、その末端の押圧点は、回路板３２或いは回路板３２の近くを弾性を備えて押圧する。
【００６０】
本実施例のシェル６０の前方部二側面にはそれぞれ、上部位置限定兼位置調整弾性片６２８と下部位置限定兼位置調整弾性片６２９を設け、これによって、回路板３２の前方部の連接板３３は比較的安定した状態で標準位置にされ位置の限定を受ける。連接板３３の先端からいずれか一対の上部位置限定兼位置調整弾性片６２８と下部位置限定兼位置調整弾性片６２９の押圧点までが比較的近いため、メスコネクタに挿入して使用する場合、連接板は非常に安定し、連接板３３の先端に力を加えない場合は、支点から力点までの距離が短くなるため力は比較的小さくなる。
【実施例１８】
【００６１】
図４０及び図４１には本考案の第十八実施例を示す。それは、USB2.0規格対応の両面での電気的接続が可能なフラッシュメモリであり、絶縁基体３０、シェル６０、連接座１２０、及び電子モジュール１４０を含む。
【００６２】
その内、絶縁基体３０全体は回路板３２であり、回路板３２の前方部は連接板３３で、連接板３３の上面と下面にはそれぞれ四つの第一接点３４を配列し、二列の第一接点３４は回路板の接点となり、金属端子としてもよい。二列の第一接点３４の回路序列は相互に逆方向となるよう配列し、二列の第一接点３４の回路序列が同じものは、導電貫通孔３８によって一組となるよう電気的に接続し、並びに、回路３７によって末端の接点３３０に至り、連接板３３の先端には上下傾斜面３９を設けて先の尖った錐体を形成する。
【００６３】
電子モジュール１４０には第一回路板１４１を設け、第一回路板１４１の一面の前方部には接点１４２を設け、他の一面には電子ユニット１４４を電気的に接続し、該面には接着剤質の密封層１４６或いは被覆体によって電子ユニット１４４を被覆する。電子ユニット１４４は記憶ユニットであり、尚且つ一列の接点１４２に電気的に接続する。
【００６４】
連接座１２０には一列の連接端子１３０を装着し、先端には前接合溝１２１を設け、末端には後接合溝１２２を設ける。連接座１２０の上面と下面のそれぞれには凹溝１２３を設け、連接端子１３０には固定部１３１を設けて連接座と固定させる。固定部１３１の前末端には、弾性を備えた上下動作を行う接触片１３２と接触片１３３を連接座１２０の前接合溝１２１と後接合溝１２２まで延伸させる。また、固定部１３１の末端からはさらに挟持片１３４と接触片１３３を延伸させ、それらは高度差をなし、挟持片１３４と接触片１３３は弾性を備えた状態で電子モジュール１４０を挟み込む。
【００６５】
回路板３２の後方部と電子モジュール１４０の前方部をそれぞれ連接座１２０の前接合溝１２１と後接合溝１２２に挿入し、一列の連接端子１３０の接触片１３２、接触片１３３と電気的に接続させる。接触片１３２と接触片１３３は弾性を備えた状態で回路板３２、電子モジュール１４０の接点を直接押圧するが、さらに半田付けしてもよい。接触片１３２と接触片１３３はどちらにも導入斜面を設け、回路板３２と電子モジュール１４０を導き入れて電気的に接続させる。
【００６６】
シェル６０は金属片をプレス加工して形成する。シェル６０は後方向に延伸するケースを一体成形し、シェル６０内には連接溝６１を形成し、先端を挿入口とする。回路板及び電子モジュール１４０を連接座１２０と接合後、全体を後ろから前方向にシェル６０内に装着する。また、シェル６０の二側面のそれぞれに嵌合片６４１を設け、該嵌合片６４１を内側方向に折り曲げて、連接座１２０両側の嵌合溝１２４に嵌合定位させ、シェル６０の末端には後蓋６４０を設ける。
【００６７】
位置限定構造にはシェル６０の二側面に一体に連接され連接溝６１方向に突出する二対の上部位置限定片６５１と下部位置限定片６５２を設け、上部位置限定片６５１と下部位置限定片６５２は連接板３３の上下方に位置して回路板３２のシェル６０に対する上下移動の位置を制限する。各一対の上部位置限定片６５１と下部位置限定片６５２には高度差を設け、該高度差は連接板３３の活動区であり、上部位置限定片６５１と下部位置限定片６５２は、直接、シェルの二側面より内側方向に逆に屈曲して形成され、尚且つ連接溝６１の挿入口から挿入方向に沿って延伸する。
【００６８】
位置調整構造には二対の位置調整弾片７１を設け、位置調整弾片７１は上下に弾性を備えた状態で動作し、それぞれを連接座１２０の二つの凹溝１２３に設ける。位置調整弾片７１には中間の押圧接触面７３と周囲の弾性アーム７４を設ける。押圧接触面７３はシェル６０を押圧接触し、各弾性アーム７４が凹溝１２３を押圧接触することにより、回路板３２を連接溝６１の中間位置に位置させる。
【００６９】
本実施例の電子ユニット１４４は記憶ユニットでありフラッシュメモリを形成するが、本実施例の構造の特徴はその他の電子装置に応用することも可能であり、電子ユニットに変更を加えるだけで、IC制御器、無線送受信装置、MP3、GPS、ペン型レコーダー、テレビ受信モジュール、インターネット無制限接続カードモジュール、デジタルカメラ、及びその他の電子装置等とすることが可能である。
【００７０】
本実施例の二つの位置調整弾片７１は独立部品であり、シェル６０に一体連結したものではない。並びに、二対の上部位置限定片６５１と下部位置限定片６５２は、直接、シェルの二側面より内側方向に逆に屈曲して形成される。このように、シェル６０は、位置調整弾片及び上部位置限定片と下部位置限定片に形成する開孔をプレス加工しないため、外観上は比較的見栄えのよいものとなる。
【実施例１９】
【００７１】
図４２には本考案の第十九実施例を示す。それはほぼ第十八実施例と同様であるが、相違点は、本実施例の位置調整弾片７１の四つの弾性アーム７４が対角線をなして設置される点にある。
【実施例２０】
【００７２】
図４３及び図４４は本考案の第二十実施例である。それはほぼ第十八実施例と同様であるが、次の相違点を有する。即ち、本実施例の回路板３２の二側面のそれぞれに嵌合溝３１２を備え、嵌合溝３１２にそれぞれ位置調整弾片７１を嵌設し、位置調整弾片７１には縦方向の嵌着部７０２と四つの弾性アーム７４を設け、嵌着部７０２は縦方向をなし、尚且つ回路板３２の二側面の嵌合溝３１２に嵌着される。四つの弾性アーム７４は弾性を備えた上下動作が可能であり、二つを一対として回路板３２の上面と下面を押圧し、回路板３２を連接溝６１の中間位置に位置させる。また、回路板３２の中間部には左右方向の中空溝３３２を設け、中空溝３３２には溝の深い位置限定体を結合してもよい。溝の深い位置限定体は、下部体３５１と上部体３５２を1セットとする。上部体３５２と下部体３５１はそれぞれ、回路板３２の上面と下面に突出させ、溝の深い位置限定体によって、メスコネクタに挿入する深さをコントロールすることができる。
【実施例２１】
【００７３】
図４５は本考案の第二十一実施例である。第二十実施例とほぼ同様であるが、次の相違点を有する。即ち、本実施例の絶縁基体３０には回路板３２と密封層３４０を設け、回路板３２の上面には一列の第一接点３４を設け、第一接点３４は印刷回路であり、回路板３２下面に設けた電子ユニット７８と第一端子４０に電気的に接続する。電子ユニット７８は記憶ユニットであり、一列の第一接点３４と一列の第一端子４０に電気的に接続し、密封層３４０は電子ユニット７８を包覆する接着剤体であり、一列の第一端子４０には密封層３４０を露出する第一接点４３を設ける。
【実施例２２】
【００７４】
図４６及び図４７は本考案の第二十二実施例である。第八実施例とほぼ同様であるが、次の相違点を有する。即ち、本実施例は第十七実施例の如く、シェル６０の前方部の二側面のそれぞれに上部位置限定兼位置調整弾性片６２８と下部位置限定兼位置調整弾性片６２９を設け、シェル６０の後方部の二側面のそれぞれに外側に突出した嵌合定位部６１０を設け、嵌合定位部６１０はケース７５に嵌合し定位する。
【実施例２３】
【００７５】
図４８、図４９、及び図５０は本考案の第二十三実施例である。それは、USB2.0規格対応の両面での電気的接続が可能なケーブルのオスコネクタであり、回路板３２、シェル６０、二対の上部位置限定兼位置調整弾性片６２８と下部位置限定兼位置調整弾性片６２９、ケーブル１００、及びケース７５を含み、第十三実施例と第十七実施例とほぼ同様である。
【００７６】
本実施例の相違点であるが、後部埋込体１６０及び連接端子１５０を更に設置する点にある。該後部埋込体１６０は下部座１６１と上部座１６２を1セットとして構成し、しかも後部埋込体１６０は中間部と前方に延伸する両側部を設けたコの字形であり、後部埋込体１６０中間部には一列の工の字形をなす固定溝１６３を設け、後部埋込体１６０の両側部内面は凹部をなし、凹部の前端には嵌合体１６４を形成し、凹部の上面には上部位置限定面１６６を形成し（上部座１６２に位置）、凹部の下面には下部位置限定面１６７を形成し、後部埋込体１６０の両側部の末端にはそれぞれほぞ１６５を設ける。連接端子１５０は、前方から後方に弾性アーム１５１、固定部１５２、及びピン１５３を設け、弾性アーム１５１はU形状をなし開放端には下方を向いた逆爪部１５４を設け、逆爪部１５４は回路板３２の導電貫通孔３８に嵌入後、半田付けを行う。固定部１５２は、工の字形をなし、後部埋込体１６０の固定溝１６３に嵌合定位され、ピン１５３はケーブル１００の導線を挟み込む。回路板３２の両側の嵌合孔３１１と後部埋込体１６０の嵌合体１６４を嵌合することにより、回路板３２は後部埋込体１６０を上下移動できるだけで前後移動は不可能となる。連接端子１５０の弾性アーム１５１は弾性を備えた上下移動が可能であるため、回路板３２は後部埋込体１６０を非常にスムーズに上下移動できる。後部埋込体の上部位置限定面１６６と下部位置限定面１６７もまた回路板３２の上下位置を制限する効果を備え、一列の連接端子１５０は回路板３２を正しい位置にする効果をも備える。
【００７７】
組立において、後部埋込体１６０を連接端子１５０、回路板３２、及びケーブル１００に結合した後、後方からシェル６０を埋め込み緊密状態にする。後部埋込体１６０のほぞ１６５をシェル６０の嵌合孔６１５に嵌合定位し、最後に素材を流し込みケース７５を形成する。後部埋込体１６０をシェル６０に緊密に埋め込んであるため、ケース素材を流し込む時にシェル６０内に流れ込むことはない。
【００７８】
好ましい実施例の詳細説明において開示した具体的な実施例は、本考案の技術内容の説明に利便を図ったもので、本考案を実施例のみに狭義的に限定するものではない。よって、本考案の創作精神及び実用新案登録請求の範囲を逸脱せずに行う種々の変化の実施は可能である。
【符号の説明】
【００７９】
３０  絶縁基体
３１  プラスチック座
３２  回路板
３３  連接板
３４  第一接点
３５  半田部
３６  中空溝
３７  回路
３８  導電貫通孔
３９  上下傾斜面
３１０  突出エッジ
３１１  嵌合孔
３１２  嵌合溝
３１３  ショットキーダイオード
３１５  回路板
３１８  湾曲部
３２１  連接孔
３２２  連接孔
３２８  突出エッジ
３３０  接点
３３２  中空溝
３４０  密封層
３５１  下部体
３５２  上部体
４０  第一端子
４３  第一接点
５０  第二端子
５１  延伸部
５２  ピン
５３  第二接点
５４  固定部
５５  傾斜面
６０  シェル
６１  連接溝
６２  弾性逆爪部
６３  凹溝
６４  スライド溝
６５  位置限定構造
６６  水平板
６７  垂直板
６８  定位板
６９  ストッパー
６１５  嵌合孔
６２０  上部位置限定片
６２１  下部位置限定片
６２２  嵌合孔
６２３  嵌合片
６２５  位置限定孔
６２８  上部位置限定兼位置調整弾性片
６２９  下部位置限定兼位置調整弾性片
６３２  突出包覆部
６３４  中空区
６４０  後蓋
６４１  嵌合片
６５１  上部位置限定片
６５２  下部位置限定片
７０  位置調整構造
７１、７２  位置調整弾片
７３  押圧接触面
７４  弾性アーム
７５  ケース
７６  嵌合引掛部
７８  電子ユニット
７０２  嵌着部
８０  USB2.0メスコネクタ
８１  プラスチック座
８２  舌状部
８３  金属外殻
８４  連接溝
８５  USB3.0メスコネクタ
８６  挿入端
８７  端子
８８  接点
８９  第二接点
９０  USB2.0オスコネクタ
９１  プラスチック座体
９２  金属外殻
９３  嵌合接続空間
９４  接点
９６  把持部
９７  標示
１００  ケーブル
１０１  導線
１０２  導線挟持部材
１２０  連接座
１２１  前接合溝
１２２  後接合溝
１２３  凹溝
１２４  嵌合溝
１３０  連接端子
１３１  固定部
１３２  接触片
１３３  接触片
１３４  挟持片
１４０  電子モジュール
１４１  第一回路板
１４２  接点
１４４  電子ユニット
１４６  密封層
１５０  連接端子
１５１  弾性アーム
１５２  固定部
１５３  ピン
１５４  逆爪部
１６０  後部埋込体
１６１  下部座
１６２  上部座
１６３  固定溝
１６４  嵌合体
１６６  上部位置限定面
１６７  下部位置限定面
１６５  ほぞ
【図１】
0003175979.tif 000003
【図１Ａ】
0003175979.tif 000004
【図１Ｂ】
0003175979.tif 000005
【図２】
0003175979.tif 000006
【図２Ａ】
0003175979.tif 000007
【図３】
0003175979.tif 000008
【図４】
0003175979.tif 000009
【図５】
0003175979.tif 000010
【図６】
0003175979.tif 000011
【図６Ａ】
0003175979.tif 000012
【図７】
0003175979.tif 000013
【図７Ａ】
0003175979.tif 000014
【図８】
0003175979.tif 000015
【図９】
0003175979.tif 000016
【図１０】
0003175979.tif 000017
【図１１】
0003175979.tif 000018
【図１２】
0003175979.tif 000019
【図１３】
0003175979.tif 000020
【図１４】
0003175979.tif 000021
【図１５】
0003175979.tif 000022
【図１６】
0003175979.tif 000023
【図１７】
0003175979.tif 000024
【図１８】
0003175979.tif 000025
【図１９】
0003175979.tif 000026
【図２０】
0003175979.tif 000027
【図２０Ａ】
0003175979.tif 000028
【図２１】
0003175979.tif 000029
【図２２】
0003175979.tif 000030
【図２３】
0003175979.tif 000031
【図２４】
0003175979.tif 000032
【図２５】
0003175979.tif 000033
【図２６】
0003175979.tif 000034
【図２７】
0003175979.tif 000035
【図２８】
0003175979.tif 000036
【図２９】
0003175979.tif 000037
【図３０】
0003175979.tif 000038
【図３１】
0003175979.tif 000039
【図３２】
0003175979.tif 000040
【図３３】
0003175979.tif 000041
【図３４】
0003175979.tif 000042
【図３５】
0003175979.tif 000043
【図３６】
0003175979.tif 000044
【図３７】
0003175979.tif 000045
【図３８】
0003175979.tif 000046
【図３９】
0003175979.tif 000047
【図４０】
0003175979.tif 000048
【図４１】
0003175979.tif 000049
【図４２】
0003175979.tif 000050
【図４３】
0003175979.tif 000051
【図４４】
0003175979.tif 000052
【図４５】
0003175979.tif 000053
【図４６】
0003175979.tif 000054
【図４７】
0003175979.tif 000055
【図４８】
0003175979.tif 000056
【図４９】
0003175979.tif 000057
【図５０】
0003175979.tif 000058